(57)【特許請求の範囲】
【請求項１】
近接する他の情報端末と通信で接続するサービスを実行する情報端末であって、
利用者から前記サービスの要求を受け付ける要求取得部と、
自端末に近接する少なくとも一つ以上の情報端末の位置情報を含む状況情報を取得する状況情報取得部と、
前記サービスが実行可能か否かを判断するための位置に関する条件を自端末外から取得し、前記条件を利用者に提示するための情報と関連付けて蓄積する条件取得部と、
前記状況情報と前記条件に基づいて、前記１つ以上の情報端末から、前記位置に関する条件に適合する前記自端末が通信する情報端末を選択する判断部と、
前記判断部において選択された情報端末と通信で接続するための情報を含むサービス情報を取得するサービス情報取得部と、
前記判断部において選択された情報端末と前記サービス情報を使用して通信を実行する実行部と、
前記判断部において前記１つ以上の情報端末が前記条件に適合しないと判断した場合に、前記蓄積された位置に関する条件の情報を取得し利用者へ提示する条件情報取得部と、
を備えた情報端末。
【請求項２】
前記サービス情報には、前記選択された情報端末のＩＰアドレスが含まれている請求項１記載の情報端末。
【発明の詳細な説明】
【技術分野】
【０００１】
本発明は、状況に応じてサービスを提供する電子機器、或いは情報端末に関するものである。
【背景技術】
【０００２】
近年、インターネットの普及により、コンテンツやライセンスをインターネット等を通じて販売するビジネス形態が出現し、今後、益々増加する傾向を示している。
【０００３】
コンテンツとは文字、音声、映像、地図などを電子化したデータや、ゲームやソフトウェアなど、およびこれらの組み合わせである。コンテンツの再生とは、例えば文字や映像であればディスプレイに表示したり、音声であればスピーカーから音を出したり、ゲームやソフトウェアであればそれを実行することである。
【０００４】
ライセンスとは、なんらかの許可を行うための情報であり、コンテンツの再生やダウンロード、蓄積の許可を行うための情報であったり、電子チケットのように特定の場所に入場することの許可を行ったり、電子クーポンのように割引価格での商品・役務の購入の許可を行うための情報である。
【０００５】
また、従来、例えば、携帯電話の現在位置という状況を検出して、その位置の周辺の地図を表示するなどのサービスがある。また、携帯電話が通信状況を考慮して、フルレートからハーフレートへ帯域を落とすことが行われている。
【発明の概要】
【発明が解決しようとする課題】
【０００６】
上述のような従来の携帯電話に対するサービスにおいては、携帯電話は基地局から送られてくる情報をそのまま表示することを行い、その情報が携帯電話の置かれている状況に構うことなく表示が行われていた。また、表示ができない情報を表示しようとしても、表示ができない旨のメッセージが出るだけであり、なぜ表示がされないのか、また、表示が行われるようになるためには、どのようにすればよいのかが携帯電話の利用者に指示されることがなかった。
【０００７】
また、携帯電話などの携帯機器に音楽配信を行うことが行われているが、携帯機器において音楽を再生するためのライセンスは、料金を支払ったかどうかのみに着目しており、例えば、特定のアーティストのコンサートに入場した人間にのみライセンスを与えるなどのことができず、コンサートの付加価値を増大することができなかった。
【０００８】
また、携帯機器を持った人間が移動するに従って、聴取する放送局の選択を手動で行わなければいけなかった。
【０００９】
また、従来においては、携帯機器の近くにいる別の携帯機器の情報を受け取ることができず、例えば、人で混雑している場所で待ち合わせを行う場合に、待ち合わせの相手がどこにいるかを容易に知ることができなかった。
【００１０】
このように、従来の電子機器、特に情報端末、及びそれを用いたサービスにおいて、現在の位置に応じた適切な指示や特定条件満足者に対する付加価値の付与など、様々な状況に応じて、その状況により適切なサービスを提供するようなことは行われていなかった。
【００１１】
本発明は上記従来の不具合に鑑みてなされもので、その第１の目的は、それぞれの状況に応じてサービスを提供することのできる情報端末などの電子機器を提供することである。
【００１２】
本発明の第２の目的は、情報端末などの電子機器へ送信された情報のうち、当該電子機器の状況に応じた情報を選別して表示し、利用者に、どのようにすればサービスの実行が可能になるかを知らしめ得るようにすることである。
【課題を解決するための手段】
【００１３】
この課題を解決するために本発明は、第一に、近接する他の情報端末と通信で接続するサービスを実行する情報端末であって、利用者から前記サービスの要求を受け付ける要求取得部と、自端末に近接する少なくとも一つ以上の情報端末の位置情報を含む状況情報を取得する状況情報取得部と、  前記サービスが実行可能か否かを判断するための位置に関する条件を自端末外から取得し、前記条件を利用者に提示するための情報と関連付けて蓄積する条件取得部と、  前記状況情報と前記条件に基づいて、前記１つ以上の情報端末から、前記位置に関する条件に適合する前記自端末が通信する情報端末を選択する判断部と、前記判断部において選択された情報端末と通信で接続するための情報を含むサービス情報を取得するサービス情報取得部と、前記判断部において選択された情報端末と前記サービス情報を使用して通信を実行する実行部と、前記判断部において前記１つ以上の情報端末が前記条件に適合しないと判断した場合に、前記蓄積された位置に関する条件の情報を取得し利用者へ提示する条件情報取得部と、を備えた情報端末を提供する。
【００１４】
上記構成により、正しく選択された情報端末の間でサービスを行うための通信を行うことが可能となる。
【００１７】
第二に、前記サービス情報には、前記選択された情報端末のＩＰアドレスが含まれているようにした。
【００１８】
サービス情報にＩＰアドレスを含むことにより、電子機器の近隣に存在する端末と通信を行うことができる。
【発明の効果】
【００１９】
以上のように本発明によれば、自端末に近接する少なくとも一つ以上の情報端末の位置情報を含む状況情報を取得する状況情報取得部と、前記状況情報に基づいて、前記自端末が通信する情報端末を選択する判断部と、前記判断部において選択された情報端末と通信で接続するための情報を含むサービス情報を取得するサービス情報取得部と、前記判断部において選択された情報端末と前記サービス情報を使用して通信を実行する実行部と、を備えた情報端末を提供する。これにより、正しく選択された情報端末の間でサービスを行うための通信を行うことが可能となる。
【００２０】
また、前記サービス情報には、他の関連サービス情報の取得を推奨する推奨情報が含まれているようにしたため、後に配信するライセンスの入手するための宣伝効果を高めることが可能となる。
【００２１】
また、前記サービス情報には、電子情報の取得もしくは供与のために必要な情報が含まれている、或いは前記選択された情報端末のＩＰアドレスが含まれているようにした。電子情報の取得もしくは供与のために必要な情報により電子情報の受け渡しを行うかどうかの判断を行うため、端末間の通信がより確実になる。また、サービス情報にＩＰアドレスを含むことにより、電子機器の近隣に存在する端末と通信を行うことができる。
【図面の簡単な説明】
【００２２】
【図１】実施の形態１における電子機器の機能ブロック図
【図２】実施の形態１における電子機器の動作を説明するフローチャート
【図３】電子機器を実現する計算機の機能ブロック図
【図４】他の電子機器の状況情報を取得する電子機器の一例図
【図５】実施の形態１における電子機器の機能を複数の電子機器で実現する場合の一例の機能ブロック図
【図６】実施の形態２における電子機器の機能ブロック図
【図７】７ 実施の形態２における電子機器の別の構成による機能ブロック図
【図８】実施の形態２における電子機器の動作を説明するフローチャート
【図９】実施の形態２における電子機器の別の構成による機能ブロック図
【図１０】図９の構成による電子機器の動作を説明するフローチャート
【図１１】実施の形態３における電子機器の機能ブロック図
【図１２】実施の形態３におけるコンテンツの構成内容図
【図１３】実施の形態３におけるライセンスの構成内容図
【図１４】実施の形態３におけるイベント会場位置の記述の一例図
【図１５】実施の形態３におけるイベント会場位置の記述の一例図
【図１６】実施の形態３における電子機器の動作を説明するフローチャート
【図１７】実施の形態３における電子機器の動作を説明するシーケンス図
【図１８】実施の形態３における電子機器の動作を説明するシーケンス図
【図１９】実施の形態３における電子機器の動作を説明するシーケンス図
【図２０】実施の形態３における電子機器の動作を説明するシーケンス図
【図２１】実施の形態３において状況情報正確性判断を行うための構成を示す部分ブロック図
【図２２】実施の形態３における電子機器の機能ブロック図
【図２３】実施の形態３においてライセンスの取り消しを行う際のライセンスの構成内容を示す図
【図２４】実施の形態３においてライセンスの更新を行う際のライセンスの構成内容を示す図
【図２５】実施の形態４におけるコンテンツの構成内容図
【図２６】実施の形態４におけるライセンスの構成内容図
【図２７】実施の形態４における電子機器の動作を説明するフローチャート
【図２８】実施の形態４における電子機器の動作を説明するシーケンス図
【図２９】実施の形態４における電子機器の動作を説明するシーケンス図
【図３０】実施の形態４における電子機器の動作を説明するシーケンス図
【図３１】通信伝送路より状況情報を取得する場合を説明する図
【図３２】通信伝送路以外より状況情報を取得する場合を説明する図
【発明を実施するための形態】
【００２３】
以下、本発明の実施の形態について、図１から図３２を用いて説明する。なお、本発明は、これら実施の形態に何ら限定されるものではなく、その要旨を逸脱しない範囲において、種々なる態様で実施し得る。
【００２４】
（実施の形態１）
図１は、本発明の実施の形態１における電子機器の機能ブロック図を示す。図１において、１００が電子機器の全体であり、１０１が状況情報取得部、１０２が判断部、１０３がサービス情報取得部、１０４が実行部である。
【００２５】
状況情報取得部１０１は、動的な情報である状況情報を取得する。「動的」とは、取得時毎に情報の内容が変化する可能性があるか、あるいは、取得するまで情報の内容が確定しないことを意味する。また、「動的」な特殊な場合として、情報源が決まれば取得時毎に内容が変化しない場合もある同じ情報が得られるが、どの情報源から情報を得るのかが前もって決定されていない状態も含まれる。「状況情報」とは、電子機器の内部の状況や電子機器の外部の状況について情報である。したがって、例えば動的な情報である状況情報としては、電子機器の占有者が誰であるか、あるいは、周囲の温度、湿度、気圧などの情報が挙げられ、また、電子機器が通信伝送路に接続されている場合には、通信伝送路から得られる情報が挙げられる。また、情報源が決まれば取得時毎に同じ情報が得られるが、どの情報源から情報を得るのかが前もって決定されていないものの例としては、接続される通信伝送路の運営主体などが挙げられる。特に、通信伝送路によって提供される帯域や、通信伝送路を用いて通信を行った場合に、通信が切断された場合の状況である切断情報が一例として挙げられる。また、通信伝送路の運営主体から得られる通信料金も一例として挙げられる。また、電子機器の位置を示す位置情報や、移動の状況を示す移動情報がある。また、位置情報や移動情報には、過去にどのような経路を通過したか、また、どのような速度で通過したか、同じ地点を何回通過したかの履歴の情報によって例示される過去の状態を示す履歴情報も含まれる。更に、状況情報取得部１０１で取得される状況情報には、電子機器自身の状況情報に限らず、通信している他の機器の状態を示す動的な情報である状況情報が含まれる。特に、電子機器１００が通信伝送路によって接続されている場合には、通信相手を識別する通信相手識別情報であってもよい。
【００２６】
なお、位置情報や移動情報を得る手段としては、通信伝送路から基地局情報を得ること、ＧＰＳ（全地球測位システム）衛星を用いて得ること、電子機器に搭載された速度センサーや加速度センサー等を用いて得ること、固定された機器である埋め込みタグとの間で近接通信を行って得ること、などがその例として挙げられる。
【００２７】
判断部１０２は、状況情報取得部１０１にて取得された状況情報に基づいてサービスが実行可能か判断する。「サービス」とは、電子機器の特定の動作あるいは電子機器を用いて享受できる役務を意味し、例えば、電子機器の存在する周辺の地図を表示する動作、音楽をダウンロードし媒体に記録する動作、媒体に記録された音楽を再生する動作、あるいは、電子機器が表示するクーポンによる商品代金の割引の享受などが例として挙げられる。判断部１０２は、サービスが実行可能であるかを状況情報取得部１０１にて取得された状況情報に基づいて判断する。
【００２８】
サービス情報取得部１０３は、サービスの実行のための情報であるサービス情報を取得する。すなわち、電子機器が特定の動作を実行するために必要な情報を取得する。例えば、特定の動作が地図を表示することであれば、地図データのＵＲＬを取得することや、音楽を蓄積するサーバのアドレスを取得するなどの動作を実行するために必要な情報を取得する。サービス情報は、電子機器１００の内部に蓄えられている場合と、電子機器１００の外部から取得する場合がある。電子機器１００の外部から取得する場合としては、電子機器１００の占有者が入力するアドレスをサービス情報として取得する場合や、電子機器１００がサーバに問い合わせてサービス情報を取得する場合が例として挙げられる。
【００２９】
サービスの実行のための情報であるサービス情報は、より具体的には、電子情報の取得または供与するための情報、或は電子情報を利用可能とするための情報である。
【００３０】
電子情報とは、ライセンスの中でも電子マネー、電子チケット、電子クーポン等の電子バリューや、コンテンツ等の電子的に取り扱いうる情報を広く意味する。
【００３１】
電子情報の取得とは、機器間で電子情報の受け渡しを行うかどうかの判断を受け取る側の機器が行ってから電子情報の受け渡しを行うことである。例えば携帯端末等の電子情報を利用したい利用者端末に状況情報取得部、判断部、サービス情報取得部、実行部、条件情報取得部があり、利用者端末自身でそれらの処理を行う。状況情報取得部で取得するのは利用者端末自身の状況情報である場合が多い。
【００３２】
電子情報の供与とは、機器間で電子情報の受け渡しを行うかどうかの判断を渡す側の機器が行ってから電子情報の受け渡しを行うことである。例えば利用者端末と通信し、利用者端末に電子情報を供与するサーバに状況情報取得部、判断部、サービス情報取得部、実行部、条件情報取得部があり、サーバ側でこれらの処理を行う。状況情報取得部で取得するのは利用者端末の状況情報である場合が多い。
【００３３】
電子情報の利用とは、文字や映像をディスプレイに表示、音声をスピーカーから出す、ゲームやソフトウェアの実行等のコンテンツの再生や、電子マネー、電子チケット、電子クーポン等の電子バリューを利用して消費することである。
【００３４】
電子情報を利用可能とするためには、状況情報取得部で取得された状況情報が、ライセンス内に含まれる適合状況情報に適合すると判断部が判断する必要があり、そのための処理を行うことである。例えば暗号化やガードが掛けられた状態で配信された電子情報について、判断部にて適合すると判断された場合のみ、ライセンスに含まれる復号鍵を用いてコンテンツを復号化するなどの処理によりコンテンツが再生したり使用したりできるようになる。
【００３５】
実行部１０４は、サービス情報を実行する。すなわち、特定の動作を実行するのに必要な情報を実行し、その特定の動作を電子機器に行わせることを行う。例えば、地図データの表示の場合には、地図データのＵＲＬから実際に地図データを取得することを行う。また、音楽を蓄積するサーバのアドレスから、そのアドレスへアクセスを行い、音楽をダウンロードする。
【００３６】
図２は、本発明の電子機器１００の動作を説明するフローチャートである。まず、ステップＳ２０１において、状況情報取得部１０１を用いて状況情報を取得する。次にステップＳ２０２において、判断部１０２を用いて状況情報取得部１０１で取得された状況情報に基づいてサービスが実行可能かどうかを判断する。もし実行可能でないと判断されれば処理を終了し、実行可能であると判断された場合には、ステップＳ２０３へ移行し、サービス情報取得部１０３を用いてサービス情報を取得する。そしてステップ２０４において、実行部１０４を用いて、取得されたサービス情報を実行する。
【００３７】
このような電子機器１００は、例えば、図３に示す計算機３００を用いて実現することができる。計算機３００は、ＣＰＵ３０１、ＲＡＭ３０２、ＲＯＭ３０３、入出力部３０４からなり、これらが相互にバス３０５によって接続されている。
【００３８】
ＲＯＭ３０３には、図２に示したフローチャートの各ステップをＣＰＵ３０１に実行させるプログラムが格納され、ＲＡＭ３０２にロードされＣＰＵ３０１によって処理がなされる。入出力部３０４は、状況情報を取得する状況情報取得部１０１を実現し、また、サービスの実行に伴う入出力を行う。
【００３９】
図４は、他の電子機器４００の状況情報に基づきサービス情報を実行する電子機器１００を図示している。電子機器４００が電子機器１００と通信網通信伝送路４０１を介して接続されている。電子機器１００においては、電子通信網通信伝送路４０１から得られる電子機器４００の状況情報が状況情報取得部１０１によって取得され、サービスが実行可能であるかどうかが判断部１０２で判断され、サービス情報がサービス情報取得部１０３で取得され、実行部１０４でサービス情報が実行され、その結果が通信網通信伝送路４０１へ送信される状況が図示されている。
【００４０】
通信網通信伝送路４０１から、例えば、電子機器４００が通信を行っている基地局の情報により、電子機器４００の位置情報が状況情報として得られる場合、状況情報取得部１０１は、位置情報を取得し、判断部でサービスが可能かどうかを、その位置情報に基づき判断することになる。例えば、サービスの内容が、特定の場所に電子機器４００が存在すれば、あるライセンスを供与することであれば、電子機器４００がその特定の場所に存在するかどうかを判断することになり、サービス情報取得部１０３では、例えば、電子機器４００へライセンスを送信するための通信のＩＰアドレスとポート番号を得ることを行い、実行部１０４は、そのＩＰアドレスとポート番号とで識別される通信先へライセンスを供与することを行う。
【００４１】
また、図１と図４とにおいては、一つの電子機器の内部に、処理部として、状況情報取得部１０１と、判断部１０２と、サービス情報取得部１０３と、実行部１０４とが配置されていたが、これらの処理部を複数の電子機器に分散或は分割して配置することも可能である。図５は、複数の電子機器にこれらの処理部を分割して配置した例を示す機能ブロック図であり、電子機器１００に状況情報取得部１０１と判断部１０２とが配置され、電子機器１００となんらかの通信路によって接続された電子機器５００にサービス情報取得部１０３と実行部１０４とが配置されている。判断部１０２で判断された結果が、なんらかの通信路を通して電子機器１００から電子機器５００へ送信され、電子機器５００の内部のサービス情報取得部１０３が、その判断結果に基づきサービス情報を取得することを行うようにもできる。なお、図５に示すように２つの電子機器に各部を配置したのは、あくまでも一例であり、３つ以上の電子機器に配置することも可能である。
【００４２】
このような発明の実施の形態により、電子機器によって得られる状況情報に応じたサービスの実行が可能となり、例えば、電子機器へ送信された情報をそのまま表示することなく、電子機器の状況に応じた情報を選別して表示することが可能となる。
【００４３】
（実施の形態２）
図６は、本発明における実施の形態２での電子機器１００の機能ブロック図を示す。実施の形態１との違いは、条件取得部６０１が付加されている点である。従って、状況情報が通信伝送路から得られるものであることや、移動情報であること、あるいは、位置情報や、通信相手識別情報である点などや、状況情報が履歴情報であることや、自電子機器の状況であることや、通信している他の機器の状態を示すものであることは同様である。また、計算機３００によって実現できる点も同じである。
【００４４】
条件取得部６０１は、状況情報取得部１０１で取得された状況情報に応じてサービスを選択実行するための条件を取得する。すなわち、サービスが一つまたは複数ある状況において、その中からサービスを選択実行するための条件を取得することを行う。（サービスが複数ある状況における「実行」のことを「選択」と表記する場合がある）。例えば、サービスＡに「電子機器が東京都品川区に存在すること」という条件が関連付けられている場合には、「電子機器が東京都品川区に在住すること」という条件を取得する。このような条件は、電子機器１００の内部に蓄積され、その蓄積されているものを取得する場合と、サービスを特定するサービス識別子と関連付けて電子機器１００の外部から送信され、その送信されたものから取得する場合がある。また、判断部１０２において、条件取得部６０１で取得された条件によってサービスが実行可能かどうかの判断の一材料とすることもできる。
【００４５】
このように、条件取得部６０１を電子機器１００が備えることにより、前もって定められたサービスではなく、提供できるサービスの内容を時々刻々に変化させることができ、状況情報によってサービスが実行可能かどうかを判断することが可能となる。
【００４６】
また、図７に示すように、電子機器１００は、要求取得部７０１を備えてもよい。要求取得部７０１は、状況情報に基づいて提供されるサービスの要求を取得する。「提供される」とは、実行可能かどうかが判断部１０２で判断され、サービス情報がサービス情報取得部１０３で取得され、実行部１０４で取得されたサービス情報を実行することである。また、「サービスの要求」とは、サービスの提供に対する要求であり、通常は、電子機器１００の占有者が電子機器１００を操作することにより発せられるが、他の電子機器より発せられる場合や、あらかじめ定義された条件が成立すれば電子機器より自動的に発せられる場合もある。
【００４７】
このように電子機器１００が条件取得部６０１や要求取得部７０１を備える場合の動作は、図８に示されるフローチャートに従う。ステップＳ２０１において、状況情報取得部１０１により状況情報を取得する。次にステップＳ８０１において、条件取得部６０１によりサービスを実行、あるいは、選択するための条件を取得する。このステップにより取得された条件が成立するかどうかにより、条件に関連付けられたサービスを絞り込むことができ、絞り込んだサービスの名前を電子機器１００の占有者に提示することにより、不要なサービスが実行、あるいは、選択されることが無くなる。また、この条件は判断部１０２においてサービスが実行可能であるか判断するためにも用いることができる。また、占有者が要求取得部７０１を通してどのサービスが提供されたいかを検出することが可能となる。以下の処理は図２と同じである。なお、図８のフローチャートでは、ステップＳ２０１の後にステップＳ８０１を実行するとしたが、ステップＳ２０１とステップＳ８０１とには依存関係が無いので、ステップＳ８０１を実行してからステップＳ２０１を実行してもよく、また、ステップＳ２０１とステップＳ８０１とを並列実行してもよい。
【００４８】
また、図９に示すように、電子機器１００が要求取得部７０１を備える場合、条件情報取得部９０１を備えてもよい。条件情報取得部９０１は、判断部にてサービスの実行が不可と判断された場合に、サービスが可能となるための状況情報を取得する。ここでいう「状況情報」とは、状況情報取得部１０１で取得する状況情報や、判断部１０２で判断に用いられる状況情報とは意味が異なり、サービスが可能となるために成立することが必要な条件のことである。例えば、東京都品川区東品川４丁目に電子機器１００が存在しなければ実行できないサービスが東京都港区で要求された場合には、判断部１０２によってサービスの実行が不可と判断されるが、このような状況において、「東京都品川区東品川４丁目に電子機器が存在すること」という条件が条件情報取得部９０１で取得される状況情報である。
【００４９】
図１０は、電子機器１００が要求取得部７０１を備える場合の処理を説明するフローチャートである。基本的には、図８のフローチャートと同じであり、ステップＳ２０２においてサービスが実行可能でないと判断された場合に、ステップＳ１００１とステップＳ１００２とが実行される点が異なる。
【００５０】
ステップＳ１００１においては、サービスが可能となる状況情報を条件情報取得部９０１によって取得する。この取得の方法としては、判断部１０２でサービスの実行が不可と判断された状況を用いる方法がある。例えば、電子機器１００が、東京都品川区東品川４丁目にあればサービスが実行可能である場合に、電子機器１００が東京都港区に存在するため実行不可と判断された場合には、「東京都品川区東品川４丁目にあること」という条件が取得される。次のステップＳ１００２において、取得された条件情報を表示する。あるいは、音声で電子機器１００の占有者に知らせてもよく、占有者には、「東京都品川区東品川４丁目にあること」が、サービスが実行可能となる条件であることが知らされる。なお、通常は、電子機器１００が東京都品川区東品川４丁目に存在するかどうかは、座標位置の比較によって行われるので、東京都品川区東品川４丁目という人間が理解できる文字列は条件の中には含まれない。そこで、「東京都品川区東品川４丁目に存在する」という条件を座標位置で表したものと「東京都品川区東品川４丁目に存在する」という文字列とを関連付けて電子機器１００の中に蓄積し、座標位置で表した条件が不成立であれば、関連付けられた文字列を取得することになる。
【００５１】
以下、ライセンスの取得または供与を行う本発明の実施形態について説明する。
【００５２】
ここで、ライセンスの取得とは、機器間でライセンスの受け渡しを行うかどうかの判断を受け取る側の機器が行ってからライセンスの受け渡しを行うことである。例えば携帯端末等のライセンスを利用したい利用者端末に、状況情報取得部、判断部、サービス情報取得部、実行部、条件情報取得部があり、利用者端末自身でそれらの処理を行う。状況情報取得部で取得するのは利用者端末自身の状況情報である場合が多い。
【００５３】
また、ライセンスの供与とは、機器間でライセンスの受け渡しを行うかどうかの判断を渡す側の機器が行ってからライセンスの受け渡しを行うことである。例えば利用者端末と通信し、利用者端末にライセンスを供与するサーバに、状況情報取得部、判断部、サービス情報取得部、実行部、条件情報取得部があり、サーバ側でこれらの処理を行う。状況情報取得部で取得するのは利用者端末の状況情報である場合が多い。
【００５４】
（実施の形態３）
図１１は、本発明の実施の形態３における電子機器の機能ブロック図を示す。本形態はイベント会場限定のライセンスに関するものであり、前もって利用者は、所持する端末である電子機器により、あるアーティストの楽曲コンテンツを入手し、その後そのアーティストのイベント会場に移動してライセンスを入手して楽曲コンテンツが再生可能の状態となるものである。このライセンスはイベント会場内の端末にのみ配信される。図１１において、１１００は楽曲コンテンツを配信するコンテンツサーバである電子機器、１２００はライセンスを供与するライセンスサーバである電子機器，１３００は利用者がもつ利用者端末である電子機器である。コンテンツサーバ１１００と利用者端末１３００間、およびライセンスサーバ１２００と利用者端末１３００間は通信伝送路４０１を経由して通信を行う。コンテンツサーバ１１００において、７０１が要求取得部、１１０１がコンテンツ配信部であり、１１０２がコンテンツデータベースである。ライセンスサーバ１２００において１０１が状況情報取得部、１０２が判断部、１０３がサービス情報取得部、１０４が実行部、６０１が条件取得部、７０１が要求取得部であり、１２０１がサービス選択情報データベース、１２０２がサービス情報データベースである。利用者端末１３００において、１０１が状況情報取得部、１０４が実行部、１３０１が暗号化情報状況出力部、１３０２がコンテンツ取得部、１３０３が蓄積メディアである。さらに１４００はロケーションサーバ、１５００は課金サーバ、１６００はＧＰＳ衛星である。
【００５５】
コンテンツサーバ１１００は要求に応じて楽曲コンテンツの配信を行う。要求取得部７０１は楽曲コンテンツの取得の要求を受け、その要求に応じてコンテンツ配信部１１０１がコンテンツデータベース１１０２から楽曲コンテンツを読み出して配送する。コンテンツデータベース１１０２から読み出した楽曲コンテンツをコンテンツ配信部１１０１にて加工して配送する場合もある。本実施の形態では楽曲コンテンツの配信を行うコンテンツサーバ１１００と楽曲コンテンツの保持を行うコンテンツデータベース１１０２を分離しているが、コンテンツサーバ１１００内にコンテンツデータベース１１０２があっても良い。
【００５６】
図１２は楽曲コンテンツの内容を例示している。この例では、楽曲コンテンツはコンテンツＩＤ、コンテンツ本体、ライセンス情報、イベント情報、関連情報から構成される。コンテンツＩＤはコンテンツ毎に付番されたＩＤである。コンテンツ本体は例えばＣ２やＤＥＳ等の方式で暗号化された楽曲データである。ライセンス情報は楽曲コンテンツに対応するライセンスに関する情報であり、例えば、ライセンスを販売しているホームページのＵＲＬ等を含む。イベント情報は楽曲コンテンツのアーティストのイベントに関する情報であり、イベントの期間、場所等を含む。このイベントの場所とは住所等の利用者が読むことで理解する情報の他に、経度・緯度等のナビゲーションシステムに対して目的地の入力として与えることが可能な位置情報を含んでも良い。また、その他、楽曲コンテンツに関連する情報を保持している。
【００５７】
ライセンスサーバ１２００は、通信相手である利用者端末１３００からライセンスの取得の要求を受けたとき、利用者端末１３００がイベント会場内にいるならばライセンスの供与を行う。本実施例では「ライセンスの取得」とは、楽曲コンテンツの再生の許可を行う情報を取得することである。要求取得部７０１はライセンスの取得の要求を受け取る。ライセンスサーバ１２００の状況情報取得部１０１は利用者端末１３００の位置情報の一つとしてＧＰＳ情報を受け取り、また、通信伝送路４０１から利用者端末１３００の別の位置情報として基地局情報を受け取る。さらに利用者端末１３００から受信したＧＰＳ情報はロケーションサーバへ送られ、そこで位置検出計算が行われ、利用者端末１３００の位置情報を受け取る。条件取得部６０１はサービス選択情報データベース１２０１からライセンスを供与するための情報を取得する。本実施例ではライセンスを供与するための情報は、「利用者端末がアーティストのイベント期間中にイベント会場内に存在すること」というライセンスを供与するための条件とそれに関連する情報としてイベント期間とイベント会場の位置の情報である。判断部１０２は、状況情報取得部１０１にて取得された状況情報に基づいてライセンスの供与が実行可能か判断する。サービス情報取得部１０３はライセンスを供与するためにライセンスそのものをサービス情報データベース１２０２から取得する。実行部１０４は通信伝送路４０１を経由して利用者端末１３００へライセンスを供与し、ライセンスの販売に関する課金処理を課金サーバ１５００とともに行う。
【００５８】
図１３は供与されるライセンスの内容を例示している。ライセンスはライセンスＩＤ，コンテンツＩＤ，コンテンツ復号鍵、ライセンス配信条件から構成される。ライセンスＩＤはライセンス毎に付番されたＩＤである。コンテンツＩＤは対応するコンテンツのＩＤであり、一つのライセンスが複数のコンテンツに対応する場合もある。コンテンツ復号鍵は対応するコンテンツを暗号化された状態から復号するために使用する鍵である。ライセンス配信条件はライセンスの配信、販売、購入に関する条件であり、販売期間、決済方法、適合する状況情報（以下、「適合状況情報」という）等を含む。適合状況情報とはライセンスを供与するための条件とそれに関連する情報であり、ライセンスを供与するための条件は「ライセンスを要求する電子機器（利用者端末）がイベント期間中にイベント会場内にいる時にライセンス供与の要求をすること」であり、関連する情報はイベント期間情報、イベント会場位置情報である。イベント会場位置情報は図１４に示すように円形を想定して中心位置の経度・緯度とその半径として記述したり、図１５に示すようにポリゴンを想定して経度・緯度の点列を時計回りで記述したりする方法がある。
【００５９】
利用者端末１３００は、持ち運び可能な端末であり、コンテンツサーバ１１００から楽曲コンテンツを取得し、ライセンスサーバ１２００からライセンスを取得して楽曲コンテンツを復号して再生する。状況情報取得部１０１はＧＰＳ衛星１６００からＧＰＳ情報を受け取る。暗号化状況情報出力部１３０１は状況情報取得部１０１で取得したＧＰＳ情報を暗号化して出力する。コンテンツ取得部１３０２は楽曲コンテンツを取得する。実行部１０４はライセンスの取得要求を出し、ライセンスを取得する。また、ライセンスの購入に関する課金情報を出力する。また、ライセンスに含まれる復号鍵によって楽曲コンテンツを復号して再生する。また、蓄積メディア１３０３に、取得した楽曲コンテンツおよびライセンスを蓄積するようにしても良い。蓄積メディア１３０３は利用者端末１３００から取り外し可能であっても良い。
【００６０】
通信伝送路４０１はコンテンツサーバ１１００と利用者端末１３００間およびライセンスサーバ１２００と利用者端末１３００間の通信伝送路であり、状況情報管理部２８０１を含む。状況情報管理部２８０１は利用者端末１３００との通信で使用する基地局情報から利用者端末の位置を検出し出力することを行う。
【００６１】
ＧＰＳ衛星１６００はＧＰＳ情報を送信する衛星であり、４個以上のＧＰＳ衛星からのＧＰＳ情報を利用者端末１３００で受信し、位置検出計算を行うことで利用者端末１３００の位置を検出することができる。図１１では、この位置検出計算は、ロケーションサーバ１４００で行われる。課金サーバ１５００はライセンスの販売に関する課金処理を行う。
【００６２】
図１６は、本実施の形態における処理を説明するフローチャートである。まず、ステップＳ１６０１において、利用者端末１３００からコンテンツサーバ１１００へ楽曲コンテンツ配送の要求が行われる。次にステップＳ１６０２において、コンテンツサーバ１１００から利用者端末へ暗号化楽曲コンテンツが配送される。次にステップＳ１６０３において、利用者端末１３００をもつ利用者がイベント会場へ移動したとすると、次にステップＳ１６０４において、利用者端末１３００からライセンスサーバ１２００へ楽曲コンテンツのライセンス取得が要求される。次にステップＳ１６０５において、利用者端末１３００が取得したＧＰＳ情報からライセンスサーバ１２００とロケーションサーバ１４００により位置検出、つまりＧＰＳを利用した位置検出が行われる。次にステップＳ１６０６において、ライセンスサーバ１２００により通信伝送路４０１から、基地局を利用した利用者端末１３００の位置検出結果が取得される。次にステップＳ１６０７において、ライセンスサーバ１２００によりライセンスを供与する条件に適合するかが判断される。次にステップＳ１６０８において、ライセンスサーバ１２００から利用者端末１３００へライセンスが供与される。次にステップＳ１６０９において、課金サーバ１５００とライセンスサーバ１２００と利用者端末１３００とによって課金処理が行われる。次にステップＳ１６１０において、利用者端末１３００で暗号化コンテンツが復号されて再生される。
【００６３】
図１７から図２０は、本実施の形態の動作を説明する通信シーケンスである。図１７のステップＳ１７０１からステップＳ１７０６までは図１６のステップＳ１６０１からステップＳ１６０２までのコンテンツ配送処理に相当する。ステップＳ１７０１において、利用者が利用者端末１３００のコンテンツ取得部１３０２へコンテンツＩＤを指定して楽曲コンテンツ配送要求を出す。次にステップＳ１７０２において、利用者端末１３００のコンテンツ取得部１３０２がコンテンツサーバ１１００の要求取得部７０１へ通信伝送路４０１を経由して、コンテンツＩＤを指定して楽曲コンテンツ配送要求を出す。次にステップＳ１７０３において、コンテンツサーバ１１００の要求取得部７０１がコンテンツサーバ１１００のコンテンツ配信部１１０１へコンテンツＩＤを指定して楽曲コンテンツ配送要求を出す。次にステップＳ１７０４において、コンテンツサーバ１１００のコンテンツ配信部１１０１がコンテンツデータベース１１０２から暗号化された楽曲コンテンツを読み出し、利用者端末１３００のコンテンツ取得部１３０２へ通信伝送路４０１を経由して、暗号化された楽曲コンテンツを配送する。次にステップＳ１７０５において、利用者端末１３００のコンテンツ取得部１３０２から利用者端末１３００の蓄積メディア１３０３へ暗号化された楽曲コンテンツを蓄積する。次にステップＳ１７０６において、利用者端末１３００のコンテンツ取得部１３０２が暗号化された楽曲コンテンツからイベント情報を読み出し、利用者に表示する。ステップＳ１７０１からステップＳ１７０６の終了後、利用者は利用者端末１３００をもってイベント会場へ移動する。
【００６４】
図１８のステップＳ１８０１からステップＳ１８０４までは図１６のステップＳ１６０４の利用者端末１３００からライセンスサーバ１２００へのライセンス取得要求に相当する。ステップＳ１８０１において、利用者が利用者端末１３００の実行部１０４へライセンスＩＤを指定してライセンス取得要求を出す。次にステップＳ１８０２において、利用者端末１３００の実行部１０４がライセンスサーバ１２００の要求取得部７０１へ通信伝送路４０１を経由して、ライセンスＩＤを指定してライセンス取得要求を出す。次にステップＳ１８０３において、ライセンスサーバ１２００の要求取得部７０１がライセンスサーバ１２００の判断部１０２へライセンスＩＤを指定してライセンス取得要求を出す。次にステップＳ１８０４において、ライセンスサーバ１２００の判断部１０２がライセンスサーバ１２００の条件取得部６０１へライセンスＩＤを指定してライセンスを供与する条件の取得要求を出す。
【００６５】
図１８のステップＳ１８０５からステップＳ１８１７までは図１６のステップＳ１６０５のＧＰＳを利用した利用者端末１３００の位置検出処理に相当する。ステップＳ１８０５において、ライセンスサーバ１２００の条件取得部６０１がサービス選択情報データベース１２０１からライセンスを供与するための条件を読み出し、ライセンスサーバ１２００の判断部１０２へ送る。ライセンスを供与するための条件は図１３下段に示す情報であり、イベント会場の位置情報を含む。次にステップＳ１８０６において、ライセンスサーバ１２００の判断部１０２からライセンスサーバ１２００の状況情報取得部１０１へ位置情報取得要求を送る。次にステップＳ１８０７において、ライセンスサーバ１２００の状況情報取得部１０１から利用者端末１３００の暗号化状況情報出力部１３０１へ通信伝送路４０１を経由して、ＧＰＳ情報取得要求を送る。次にステップＳ１８０７において、利用者端末１３００の暗号化状況情報出力部１３０１から利用者端末１３００の状況情報取得部１０１へＧＰＳ情報取得要求を送る。次にステップＳ１８０９において、利用者端末１３００の状況情報取得部１０１にて４つ以上のＧＰＳ衛星１６００からＧＰＳ情報を受信する。
【００６６】
次にステップＳ１８１０において、利用者端末１３００の状況情報取得部１０１から利用者端末１３００の暗号化状況情報出力部１３０１へＧＰＳ情報を送る。次にステップＳ１８１１において、利用者端末１３００の暗号化状況情報出力部１３０１でライセンスサーバ１２００の公開鍵を用いてＧＰＳ情報を暗号化する。次にステップＳ１８１２において、利用者端末１３００の暗号化状況情報出力部１３０１からライセンスサーバ１２００の状況情報取得部１０１へ暗号化ＧＰＳ情報を送る。次にステップＳ１８１３において、ライセンスサーバ１２００の状況情報取得部１０１でライセンスサーバ１２００の秘密鍵を用いて暗号化ＧＰＳ情報を復号化する。次にステップＳ１８１４において、ライセンスサーバ１２００の状況情報取得部１０１からロケーションサーバ１４００へＧＰＳ情報とともに位置検出計算要求を送る。次にステップＳ１８１５において、ロケーションサーバ１４００でＧＰＳ情報から位置検出計算を行う。次にステップＳ１８１６において、ロケーションサーバ１４００からライセンスサーバ１２００の状況情報取得部１０１へ利用者端末１３００の位置情報を送る。次にステップＳ１８１７において、ライセンスサーバ１２００の状況情報取得部１０１からライセンスサーバ１２００の判断部１０２へ利用者端末１３００の位置情報を送る。
【００６７】
図１９のステップＳ１９０１からステップＳ１９０４までは図１６のステップＳ１６０６の基地局を利用した利用者端末１３００の位置検出処理に相当する。ステップＳ１９０１において、ライセンスサーバ１２００の状況情報取得部１０１から通信伝送路４０１の状況情報管理部２８０１へ位置情報取得要求を送る。次にステップＳ１９０２において、通信伝送路４０１の状況情報管理部２８０１で利用者端末１３００が通信する基地局の情報を利用して、利用者端末１３００の位置検出計算を行う。次にステップＳ１９０３において、通信伝送路４０１の状況情報管理部２８０１からライセンスサーバ１２００の状況情報取得部１０１へ位置情報を送る。次にステップＳ１９０４において、ライセンスサーバ１２００の状況情報取得部１０１からライセンスサーバ１２００の判断部１０２へ利用者端末１３００の位置情報を送る。図１９のステップＳ１９０５は図１６のステップＳ１６０７のライセンスを供与する条件に適合するかの判断処理に相当する。ステップＳ１９０５において、ステップＳ１８１７で得られたＧＰＳを利用した利用者端末１３００の位置検出結果およびステップＳ１９０４で得られた基地局を利用した利用者端末１３００の位置検出結果から、ライセンスサーバ１２００の判断部１０２で利用者端末１３００の位置を計算し、さらにステップＳ１８０５で得られたイベント会場の位置情報から利用者端末１３００がイベント会場内に存在するかどうかを判断し、存在する場合に以降のステップへ進む。図１９のステップＳ１９０６からステップＳ１９０９までは図１６のステップＳ１６０８のライセンスサーバ１２００から利用者端末１３００へのライセンスの供与に相当する。ステップＳ１９０６において、ライセンスサーバ１２００の判断部１０２からライセンスサーバ１２００のサービス情報取得部１０３へライセンスＩＤを指定してライセンス供与指示を出す。次にステップＳ１９０７において、ライセンスサーバ１２００のサービス情報取得部１０３がサービス情報データベース１２０２から指定されたライセンスＩＤを持つライセンスを読み出し、ライセンスサーバ１２００の実行部１０４に渡してライセンス供与指示を出す。次にステップＳ１９０８において、ライセンスサーバ１２００の実行部１０４から通信伝送路４０１を経由して、利用者端末１３００の実行部１０４へライセンスを供与する。次にステップＳ１９０９において、利用者端末１３００の実行部１０４から利用者端末１３００の蓄積メディア１３０３へライセンスを蓄積する。
【００６８】
図２０のステップＳ２００１からステップＳ２００５までは図１６のステップＳ１６０９の課金処理に相当する。ステップＳ２００１において、ライセンスサーバ１２００の実行部１０４から通信伝送路４０１を経由し、利用者端末１３００の実行部１０４へ課金情報要求を送る。次にステップＳ２００２において、利用者端末１３００の実行部１０４から通信伝送路４０１を経由し、ライセンスサーバ１２００の実行部１０４へクレジット番号等の課金情報を送る。次にステップＳ２００３において、ライセンスサーバ１２００の実行部１０４から課金サーバ１５００へ利用者のクレジット番号および販売したライセンスの販売価格を送り、課金処理を要求する。次にステップＳ２００４において、課金サーバ１５００で課金処理を行い、ライセンスサーバ１２００の実行部１０４へ課金処理終了を通知する。次にステップＳ２００５において、ライセンスサーバ１２００の実行部１０４から利用者端末１３００の実行部１０４へ通信伝送路４０１を経由し、電子レシートを送り、課金処理終了を通知する。図２０のステップＳ２００６からステップＳ２００９までは図１６のステップＳ１６１０における楽曲コンテンツの復号化と再生に相当する。ステップＳ２００６において、利用者端末１３００の実行部１０４が利用者端末１３００の蓄積メディア１３０３から暗号化された楽曲コンテンツを読み出す。次にステップＳ２００７において、利用者端末１３００の実行部１０４が利用者端末１３００の蓄積メディア１３０３からライセンスを読み出す。次にステップＳ２００８において、利用者端末１３００の実行部１０４がライセンスからコンテンツ復号鍵を取り出し、暗号化された楽曲コンテンツを復号化する。次にステップＳ２００９において、利用者端末１３００の実行部１０４が楽曲コンテンツを再生する。
【００６９】
また、本実施の形態ではコンテンツサーバ１１００とライセンスサーバ１２００とロケーションサーバ１４００と課金サーバ１５００をすべて別個のサーバとしたが、これらのすべてまたは一部は同一の電子機器で構成されていてもよい。また、コンテンツデータベース１１０２はコンテンツサーバ１１００の内部に存在してもよい。また、サービス選択情報データベース１２０１とサービス情報データベース１２０２はライセンスサーバ１２００の内部に存在してもよい。また、ロケーションサーバ１４００はライセンスサーバ１２００側ではなく、利用者端末１３００側に存在し、利用者端末１３００で受信したＧＰＳ情報をロケーションサーバ１４００で位置検出計算し、その結果をライセンスサーバへ送ってもよい。また、ロケーションサーバ１４００は通信伝送路４０１内に存在し、利用者端末１３００で受信したＧＰＳ情報をロケーションサーバ１４００で位置検出計算し、その結果をライセンスサーバへ送ってもよい。また、本実施例はライセンスの供与の後に課金処理を行う後課金方式であるが、ライセンスの供与の前に課金処理を行う前課金方式でもよい。
【００７０】
このような発明の実施の形態により、ライセンスサーバ１２００が通信相手である利用者端末１３００の位置情報を取得することにより、利用者端末１３００の位置に応じたサービス、特にある特定の位置にいる利用者端末１３００にのみ特別なサービスを提供することが可能となる。
【００７１】
さらに利用者端末１３００からライセンスサーバ１２００へＧＰＳ情報を暗号化して送信することにより、利用者端末１３００の存在する場所などのプライバシーにかかわる情報の漏洩を防止することが可能になる。本実施の形態以外に、例えば、状況情報取得部１０１と判断部１０２が同一の電子機器に配置されず、別々の電子機器に配置される場合には、状況情報取得部１０１で取得された状況情報を別の電子機器の判断部１０２に送信する必要がある。しかし、暗号化せずにそのまま状況情報を送信すると、第三者に不正に状況情報を取得されると、電子機器の存在する場所や、占有者が誰であるかなどのプライバシーにかかわる情報が漏洩してしまう可能性がある。そこで、状況情報取得部１０１から判断部１０２へ直接送信するのではなく、暗号化状況情報出力部を通して暗号化して状況情報を送信する。また、状況情報取得部１０１と判断部１０２が同一の電子機器に配置される場合であっても、例えば、電子機器がいままでどの位置に存在したかの位置の履歴情報を蓄積し、その蓄積された履歴情報を状況情報として判断部１０２が判断する場合には、履歴情報から電子機器の移動状況を知ることができ、やはり、プライバシーにかかわる情報が漏洩してしまう。そこで、状況情報取得部１０１で取得された状況情報を暗号化状況情報出力部によって暗号化して蓄積することにより、情報が漏洩してしまうことを防止することができる。
【００７２】
さらにライセンスサーバ１２００の取得する利用者端末１３００のＧＰＳ情報は暗号化されたものであることにより、位置を偽り、特定の位置に利用者端末１３００が存在しないと受けられないサービスを受けてしまうという行為を防止することが可能となる。本実施の形態以外に、例えば状況情報として、電子機器１００の占有者の所持するＩＣカードが発する情報である場合には、ＩＣカードの発する情報を暗号化することにより、ＩＣカードの偽造を防止することができる。また、位置情報を暗号化することにより、位置を偽り、特定の位置に電子機器１００が存在しないと受けられないサービスを受けてしまうという行為を防止することが可能となる。
【００７３】
さらにライセンスサーバ１２００は利用者端末１３００の位置を検出するために、通信伝送路４０１から得られる基地局情報と利用者端末１３００から得られるＧＰＳ情報という複数の情報源から得られる情報を組み合わせ、これらの算出された位置情報が一致することを確認して位置情報を確定することにより、信頼性が高くかつ精度の高い状況情報を取得してサービスを行うことが可能となる。なお、地上局からの電波の強さから得られる位置情報とＧＰＳから得られる位置情報とは誤差範囲が異なるため、「一致」といっても、完全に同じになることを意味するのではなく、情報源ごとに誤差範囲を考慮して一致するかどうかを判断することなる。
【００７４】
これらの状況情報の暗号化や複数の状況情報の比較による状況情報の正確性の判断は、図２１に示すように状況情報取得部１０１と判断部１０２との間に状況情報正確性判断部Ａ０１をさらに備え、状況情報取得部１０１で取得した状況情報の正確性を判断しても良い。また、信頼性ランク付与手段Ａ０２と精度ランク付与手段Ａ０３をさらに備え、状況情報の信頼性に対するランク付けや状況情報の精度に関するランク付けを行った結果を利用して状況情報の正確性を判断しても良い。
【００７５】
状況情報の信頼性とは、状況情報取得部１０１で取得した状況情報が悪意の第三者、または悪意の利用者端末の利用者による改ざん、なりすまし等に対する保護の度合を表す。すなわち、信頼性ランクが高いとは、改ざん、なりすまし等が行わる可能性が低いことを意味し、例えば利用者端末１３００のＧＰＳ情報がライセンスサーバ１２００が取得する伝送途中に悪意の第三者によってＧＰＳ情報が書き換えられたり、悪意の利用者自らが位置を偽り、特定の位置にいるようななりすましを行うことができる可能性が低いことを意味する。
【００７６】
信頼性ランク付与手段による信頼性ランクの付与の方法として、状況情報の情報源、または状況情報の取得経路、または状況情報の情報源とその取得経路の組み合わせに基づいて信頼性ランクの付与を行っても良い。ここでの状況情報の情報源とはどこから状況情報や状況情報を計測、計算するために必要な情報を入手したか、どこで状況情報を計測したか、どこで状況情報を計算処理したか等を表し、本実施例のＧＰＳ情報による位置情報においてはＧＰＳ衛星１６００、利用者端末１３００、ロケーションサーバ１４００等、基地局情報による位置情報ではキャリア４０１等である。利用者端末１３００においては悪意の利用者によりなりすましが行われる可能性があるために、情報源に利用者端末１３００が含まれると信頼性ランクは低くなる。状況情報の取得経路は情報源から状況情報取得部１０１までの伝送経路を表し、本実施例のＧＰＳ情報による位置情報においてはＧＰＳ衛星１６００、利用者端末１３００、キャリア４０１、ライセンスサーバ１２００、ライセンスサーバ１２００間の伝送路等、基地局情報による位置情報ではキャリア４０１、ライセンスサーバ１２００間の伝送路等である。利用者端末１３００においては悪意の利用者によりなりすましが行われる可能性があるために、取得経路に利用者端末１３００が含まれると信頼性ランクは低くなる。
【００７７】
また、信頼性ランク付与手段による信頼性ランクの付与の方法として、状況情報の暗号化に基づいて信頼性ランクの付与を行っても良い。例えばＰＫＩ（Ｐｕｂｌｉｃ Ｋｅｙ
Ｉｎｆｒａｓｔｒｕｃｔｕｒｅ：公開鍵基盤）等の電子署名と暗号化技術を利用し、データの伝送路上における改ざんを防止し、さらに受信側にとって送信側が確実に当人であることを保証する。本実施例の基地局情報による位置情報ではキャリア４０１の電子署名を状況情報に付加することにより信頼性ランクは高くなる。
【００７８】
状況情報の精度とは、状況情報取得部１０１で取得した状況情報の計測や計算処理の性質上、真実の状況情報にどれだけ近いのかの度合を表す。精度ランク付与手段による精度ランクの付与の方法として、状況情報の情報源に基づいて精度ランクの付与を行う。ここでの状況情報の情報源とは状況情報の計測や計算処理の方法を表し、本実施例のＧＰＳ情報による位置情報においては、誤差数ｍ、基地局情報による位置情報では誤差数百ｍ等である。誤差が小さい方に高い精度ランクを付与する。
【００７９】
状況情報正確性判断部においては、状況情報の正確性の判断は、信頼性ランク付与手段によって付与された状況情報の信頼性ランク、または精度ランク付与手段によって付与された状況情報の精度ランク、または複数の手段情報源により取得した状況情報の比較した時の一致するかどうかの判断結果、またはこれらの組み合わせによって行われる。本実施例の利用者端末１３００の位置を検出するために、複数の情報源から得られる状況情報を利用する。通信伝送路４０１から得られる基地局情報による信頼性ランクが高く、精度ランクが低い位置情報と、利用者端末１３００から得られるＧＰＳ情報による信頼性ランクが低く、精度ランクの高い情報を組み合わせ、これらの算出された位置情報が一致することを確認して位置情報を確定することにより、信頼性が高くかつ精度の高い状況情報を取得することが可能となる。
【００８０】
さらに本実施例でのライセンスはコンテンツを実行可能とする、つまりコンテンツを再生可能とするためのライセンスである。コンテンツとライセンスに分けて配信することにより、ライセンス提供者とコンテンツ提供者を分けることが可能となる。また、状況情報に応じてライセンスを配信することが可能となり、例えば、コンテンツは蓄積メディアに入れた状態で販売し、その後に状況情報に応じてライセンスを入手してコンテンツを実行することも可能である。さらにライセンスを電子チケットや電子バリューとして利用することで、コンテンツの配信に限らず、様々なサービスに対応することが可能となる。
【００８１】
さらにコンテンツは暗号化して配信することにより、配信途中のセキュリティを確保し、配信後の不正コピーを防止することが可能となる。さらに、コンテンツは暗号化したまま蓄積し、ライセンスにコンテンツ復号鍵を含め、コンテンツの実行時のみコンテンツ復号鍵で復号することにより、ライセンスが存在する利用者端末１３００でのみコンテンツが実行となり、コンテンツの不正使用を防止することが可能となる。
【００８２】
さらに利用者端末１３００はライセンスを取得する前に楽曲コンテンツを取得するが、利用者端末１３００がコンテンツに含まれるライセンス情報とイベント情報を読み出して、「これはＸＸＸというアーティストの楽曲コンテンツです。ライセンスを入手したい方は、以下のイベント会場へ行き、ＸＸＸというＵＲＬへアクセスして下さい。」というライセンスの取得のための情報を利用者に提示することにより、先にコンテンツを配信しておくことにより、ライセンスを入手するための宣伝効果が発生することになる。
【００８３】
本実施例のライセンスは、特定のイベント会場内に利用者端末１３００が存在するという条件を満たす場合のみ取得可能であり、またライセンスの取得が有償である場合もある。それに対してコンテンツは、例えばアーティストのホームページ等に掲載し、コンテンツのダウンロード自体は無償として、ホームページを閲覧した利用者は自由にダウンロード可能とする。このように先に配信するするコンテンツを利用者にとって取得が容易であるものにし、さらにコンテンツに関連するライセンスの取得を推奨する推奨情報をコンテンツに含めておくことにより、後に配信するライセンスの入手するための宣伝効果を高めることになる。
【００８４】
また状況情報として、例えば位置情報の現在の値のみでなく過去の状態を蓄積するによって位置検出誤差が減少することより、利用者端末がイベント会場内かどうかの判別がより正確になり、あるいは、イベント会場にある回数以上入場した人にのみライセンスの供与を行うことも可能となる。
【００８５】
またライセンスの供与のみでなく、利用者端末の状況情報によって既に保持しているライセンスを更新したり、逆にライセンスの取り消しを行うことも可能になる。例えば、サービス情報をライセンスの取り消しのための情報とすることにより、日本から出国した場合にライセンスを取り消すことが可能となり、国別の著作権の管理が容易となる。また、サービス情報をライセンスの更新のための情報とすることにより、例えば、特定のコンサート会場に入場することにより、ライセンスを更新することが可能となり、イベント会場への入場を促進することができる。
【００８６】
ライセンスの取り消しを行う際のライセンスの内容を図２２に例示している。この例では図２６のライセンスの内容に対して、ライセンス取り消し条件が追加されている。ライセンス取り消し条件はライセンスの有効期間、適合状況情報等を含む。適合する状況情報とはライセンスの取り消しを行うための条件のうち、状況情報に関連する情報であり、ライセンス取り消し条件は「ライセンスを保持する電子機器（利用者端末）が日本国外へ出ること」であり、関連する情報は日本国位置情報である。この例ではライセンスが自分自身の取り消しの条件を含むが、ライセンスＩＤ等の指定による他のライセンスの取り消しの条件を含んでもよい。
【００８７】
ライセンスの更新を行う際のライセンスの内容を図２３に例示している。この例では図２６のライセンスの内容に対して、ライセンス更新条件が追加されている。ライセンス更新条件はライセンスの更新内容、有効期間、適合状況情報等を含む。適合する状況情報とはライセンスの更新を行うための条件のうち、状況情報に関連する情報であり、ライセンス更新条件は「コンテンツを利用する電子機器（利用者端末）がイベント期間中にイベント会場内にいる時にコンテンツ利用の要求をすること」であり、関連する情報はイベント期間情報、イベント会場位置情報である。ライセンスが更新される場合は更新内容の情報に従い、例えば有効期限が延長されたりする。この例ではライセンスが自分自身の更新の条件を含むが、ライセンスＩＤ等の指定による他のライセンスの更新の条件を含んでもよい。
【００８８】
また楽曲コンテンツに対するライセンスではなく、例えばアーティストに関する複数の特別情報コンテンツに対応する一つのライセンスを想定し、利用者端末はコンテンツよりも先にライセンスを取得しておくことで、ライセンスの購入は一度でその後一定期間は特別情報コンテンツを適時取得することが可能となる。
【００８９】
またコンテンツの取得の前にライセンスの供与のための情報を取得して利用者に提示することでコンテンツのみを取得し、ライセンスを取得できないことを避けることが可能となる。また、このようなライセンスが供与されたがコンテンツが供与されないことを避ける別の方法として、ライセンス供与のための情報を提供した後に、コンテンツ配信部がライセンスの対象となるコンテンツを配信する方法も挙げることができる。
【００９０】
（実施の形態４）
図２４は、本発明の実施の形態４における電子機器の機能ブロック図を示す。本実施の形態においては、実施の形態３とは逆に、まず、ライセンスを取得し、その後、コンテンツを入手することを行う。また、本実施の形態のコンテンツとしては、ビデオコンテンツを例として用いて説明する。すなわち、本実施の形態は、イベント会場限定のコンテンツの配信に関するものであり、利用者が、所持する端末により、あるアーティストのビデオコンテンツのライセンスをまず取得し、その後そのアーティストのイベント会場に移動してビデオコンテンツを入手しながらストリーム再生する。このビデオコンテンツはイベント会場内の端末にのみ配信される。図２４において、１１００はビデオコンテンツを配信するコンテンツサーバである電子機器、１２００はライセンスを供与するライセンスサーバである電子機器，１３００は利用者がもつ利用者端末である電子機器である。コンテンツサーバ１１００と利用者端末１３００間、およびライセンスサーバ１２００と利用者端末１３００間は通信伝送路４０１を経由して通信を行う。コンテンツサーバ１１００において、７０１が要求取得部、１１０１がコンテンツ配信部であり、１１０２がコンテンツデータベースである。ライセンスサーバ１２００において１０３がサービス情報取得部、１０４が実行部、７０１が要求取得部であり、１２０２がサービス情報データベースである。利用者端末１３００において、１０１が状況情報取得部、１０２が判断部、１０４が実行部、６０１が条件取得部、１３０２がコンテンツ取得部、１３０３が蓄積メディアである。さらに１４００はロケーションサーバ、１５００は課金サーバ、１６００はＧＰＳ衛星である。
【００９１】
コンテンツサーバ１１００は実施の形態３のコンテンツサーバ１１００と同様であるが、コンテンツとしてストリーミングに対応したビデオデータを持つ。 図２５はビデオコンテンツの内容を例示している。この例では、ビデオコンテンツはコンテンツＩＤ、コンテンツ本体、関連情報から構成される。コンテンツＩＤはコンテンツ毎に付番されたＩＤである。コンテンツ本体は例えばＣ２やＤＥＳ等の方式で暗号化されたビデオデータである。その他、ビデオコンテンツに関連する情報をもつライセンスサーバ１２００は要求に応じてライセンスの供与を行う。要求取得部７０１はライセンスの取得の要求を受け取る。サービス情報取得部１０３はライセンスを供与するためにライセンスそのものをサービス情報データベース１２０２から取得する。実行部１０４は通信伝送路４０１を経由して利用者端末１３００へライセンスを供与し、ライセンスの販売に関する課金処理を課金サーバ１５００とともに行う。
【００９２】
図２６はライセンスの内容を例示している。この例では、ライセンスはライセンスＩＤ，コンテンツＩＤ，コンテンツ復号鍵、コンテンツ配信条件、コンテンツ利用条件から構成される。ライセンスＩＤはライセンス毎に付番されたＩＤである。コンテンツＩＤは対応するコンテンツのＩＤであり、一つのライセンスが複数のコンテンツに対応する場合もある。コンテンツ復号鍵は対応するコンテンツを暗号化された状態から復号するために使用する鍵である。コンテンツ配信条件はコンテンツの配信、販売、購入に関する条件であり、販売期間、決済方法、適合状況情報等を含む。コンテンツ利用条件はコンテンツの利用に関する条件であり、コピー制御、再生制御、適合状況情報等を含む。適合状況情報とはコンテンツを利用するための条件のうち、状況情報に関連する情報であり、コンテンツを利用するための条件は「コンテンツを利用する電子機器（利用者端末）がイベント期間中にイベント会場内にいる時にコンテンツ利用の要求をすること」であり、関連する情報はイベント期間情報、イベント会場位置情報である。イベント会場位置情報は実施の形態３と同様に図１４や図１５のように記述したりする。
【００９３】
利用者端末１３００は、持ち運び可能な端末であり、ライセンスサーバ１２００からライセンスを取得し、コンテンツサーバ１１００からビデオコンテンツを取得し、利用者端末１３００がイベント会場内にいるならばビデオコンテンツを復号して再生する。状況情報取得部１０１はＧＰＳ衛星１６００からＧＰＳ情報を受け取り、それをロケーションサーバへ送り、そこで位置検出計算が行われ、利用者端末１３００の位置情報を受け取る。条件取得部６０１は蓄積メディア１３０３からコンテンツを利用するための情報を取得する。本実施例ではコンテンツを利用するための情報は、「利用者端末がアーティストのイベント期間中にイベント会場内に存在すること」というコンテンツを利用するための条件とそれに関連する情報としてイベント期間とイベント会場の位置の情報である。判断部１０２は、状況情報取得部１０１にて取得された状況情報に基づいてコンテンツの利用が実行可能か判断する。実行部１０４はコンテンツの取得および利用するための情報を蓄積メディア１３０３から取得する。また、コンテンツの取得要求をコンテンツ取得部１３０２へ出し、コンテンツを取得する。また、ライセンスの購入に関する課金情報を出力する。また、ライセンスに含まれる復号鍵によってビデオコンテンツを復号して再生する。コンテンツ取得部１３０２はコンテンツサーバ１１００からビデオコンテンツを取得する。蓄積メディア１３０３は取得したライセンスを蓄積する。蓄積メディア１３０３は利用者端末１３００から取り外し可能であっても良い。
【００９４】
通信伝送路４０１とＧＰＳ衛星１６００とロケーションサーバ１４００と課金サーバ１５００は実施の形態３と同様である。ただし実施の形態３における通信伝送路４０１の状況情報管理部２８０１は本実施例では存在しなくてもよい。
【００９５】
図２７は、本実施の形態の処理を説明するフローチャートである。まず、ステップＳ２４０１において、利用者端末１３００からライセンスサーバ１２００へビデオコンテンツのライセンス取得が要求される。次にステップＳ２４０２において、課金サーバ１５００とライセンスサーバ１２００と利用者端末１３００で課金処理が行われる。次にステップＳ２４０３において、ライセンスサーバ１２００から利用者端末１３００へライセンスが供与される。次にステップＳ２４０４において、利用者端末１３００をもつ利用者がイベント会場へ移動すると、次にステップＳ２４０５において、利用者端末１３００が取得したＧＰＳ情報からロケーションサーバ１４００により位置検出、つまりＧＰＳを利用した位置検出が行われる。次にステップＳ２４０６において、利用者端末１３００によりコンテンツを利用する条件に適合するかが判断される。次にステップＳ２４０７において、利用者端末１３００からコンテンツサーバ１１００へビデオコンテンツ配送が要求される。次にステップＳ２４０８において、コンテンツサーバ１１００から利用者端末へ暗号化ビデオコンテンツが配送される。次にステップＳ２４０９において、利用者端末１３００で暗号化コンテンツが復号されてストリーミング再生が行われる。
【００９６】
図２８から図３０は、本実施の形態の動作を説明する通信シーケンスを示す。図２８のステップＳ２５０１からステップＳ２５０４までは図２７のステップＳ２４０１のライセンス取得要求に相当する。ステップＳ２５０１において、利用者が利用者端末１３００の実行部１０４へライセンスＩＤを指定してライセンス取得要求を出す。次にステップＳ２５０２において、利用者端末１３００の実行部１０４がライセンスサーバ１２００の要求取得部７０１へ通信伝送路４０１を経由して、ライセンスＩＤを指定してライセンス取得要求を出す。ステップＳ２５０３において、ライセンスサーバ１２００の要求取得部７０１からライセンスサーバ１２００のサービス情報取得部１０３へライセンスＩＤを指定してライセンス供与指示を出す。次にステップＳ２５０４において、ライセンスサーバ１２００のサービス情報取得部１０３がサービス情報データベース１２０２から指定されたライセンスＩＤを持つライセンスを読み出し、ライセンスサーバ１２００の実行部１０４に渡してライセンス供与指示を出す。図２８のステップＳ２５０５からステップＳ２５０９までは図２７のステップＳ２４０２の課金処理に相当する。ステップＳ２５０５において、ライセンスサーバ１２００の実行部１０４から通信伝送路４０１を経由し、利用者端末１３００の実行部１０４へ課金情報要求を送る。次にステップＳ２５０６において、利用者端末１３００の実行部１０４から通信伝送路４０１を経由し、ライセンスサーバ１２００の実行部１０４へクレジット番号等の課金情報を送る。次にステップＳ２５０７において、ライセンスサーバ１２００の実行部１０４から課金サーバ１５００へ利用者のクレジット番号および販売したライセンスの販売価格を送り、課金処理を要求する。次にステップＳ２５０８において、課金サーバ１５００で課金処理を行い、ライセンスサーバ１２００の実行部１０４へ課金処理終了を通知する。次にステップＳ２５０９において、ライセンスサーバ１２００の実行部１０４から利用者端末１３００の実行部１０４へ通信伝送路４０１を経由し、電子レシートを送り、課金処理終了を通知する。図２８のステップＳ２５１０からステップＳ２５１２までは図２７のステップＳ２４０３のライセンスサーバ１２００から利用者端末１３００へのライセンスの供与に相当する。ステップＳ２５１０において、ライセンスサーバ１２００の実行部１０４から通信伝送路４０１を経由して、利用者端末１３００の実行部１０４へライセンスを供与する。次にステップＳ２５１１において、利用者端末１３００の実行部１０４から利用者端末１３００の蓄積メディア１３０３へライセンスを蓄積する。次にステップＳ２５１２において、利用者端末１３００の実行部１０４が取得したライセンスからイベント情報を読み出し、利用者に表示する。ステップＳ２５１２の終了後、利用者は利用者端末１３００をもってイベント会場へ移動する。
【００９７】
図２９のステップＳ２６０１からステップＳ２６１２までは図２７のステップＳ２４０５のＧＰＳを利用した利用者端末１３００の位置検出処理に相当する。ステップＳ１７０１において、利用者が利用者端末１３００の実行部１０４へコンテンツＩＤを指定してビデオコンテンツ再生要求を出す。次にステップＳ２６０２において、利用者端末１３００の実行部１０４が利用者端末１３００の判断部１０２へコンテンツＩＤを指定してコンテンツ再生判断要求を出す。次にステップＳ２６０３において、利用者端末１３００の判断部１０２が利用者端末１３００の条件取得部６０１へコンテンツＩＤを指定してコンテンツ再生条件要求を出す。次にステップＳ２６０４とステップＳ２４０５において、利用者端末１３００の条件取得部６０１が利用者端末１３００の蓄積メディア１３０３に蓄積されたライセンスからコンテンツを再生するための条件を読み出す。次にステップＳ２６０６において、利用者端末１３００の条件取得部６０１から利用者端末１３００の判断部１０２へコンテンツを再生するための条件を送る。コンテンツを再生するための条件は図２６下段に示す情報であり、イベント会場の位置情報を含む。次にステップＳ２６０７において、利用者端末１３００の判断部１０２から利用者端末１３００の状況情報取得部１０１へ位置情報取得要求を送る。次にステップＳ２６０８において、利用者端末１３００の状況情報取得部１０１にて４つ以上のＧＰＳ衛星１６００からＧＰＳ情報を受信する。次にステップＳ２６０９において、利用者端末１３００の状況情報取得部１０１からロケーションサーバ１４００へＧＰＳ情報とともに位置検出計算要求を送る。次にステップＳ２６１０において、ロケーションサーバ１４００でＧＰＳ情報から位置検出計算を行う。次にステップＳ２６１１において、ロケーションサーバ１４００から利用者端末１３００の状況情報取得部１０１へ利用者端末１３００の位置情報を送る。次にステップＳ２６１２において、利用者端末１３００の状況情報取得部１０１から利用者端末１３００の判断部１０２へ利用者端末１３００の位置情報を送る。
【００９８】
図３０のステップＳ２７０１からステップＳ２７０４は図２７のステップＳ２４０６のコンテンツを再生する条件に適合するかの判断処理に相当する。ステップＳ２７０１において、利用者端末１３００の判断部１０２で、ステップＳ２６１２で得られたＧＰＳを利用した利用者端末１３００の位置検出結果とステップＳ２６０６で得られたイベント会場の位置情報から利用者端末１３００がイベント会場内に存在するかどうかを判断し、存在する場合に以降のステップへ進む。次にステップＳ２７０２において、利用者端末１３００の判断部１０２から利用者端末１３００の実行部１０４へコンテンツＩＤを指定してビデオコンテンツ再生判断応答を送る。次にステップＳ２７０３とステップＳ２７０４において、利用者端末１３００の実行部１０４が利用者端末１３００の蓄積メディア１３０３からライセンスに含まれるコンテンツ復号鍵を取り出す。図３０のステップＳ２７０５からステップＳ２７１１は図２７のステップＳ２４０７ビデオコンテンツ配信要求とステップＳ２４０８暗号化ビデオコンテンツ配信とステップＳ２４０９ビデオコンテンツのストリーミング再生に相当する。ステップＳ２７０５において、利用者端末１３００の実行部１０４が利用者端末１３００のコンテンツ取得部１３０２へコンテンツＩＤを指定してビデオコンテンツ配送要求を出す。次にステップＳ２７０６において、利用者端末１３００のコンテンツ取得部１３０２がコンテンツサーバ１１００の要求取得部７０１へ通信伝送路４０１を経由して、コンテンツＩＤを指定してビデオコンテンツ配送要求を出す。次にステップＳ２７０７において、コンテンツサーバ１１００の要求取得部７０１がコンテンツサーバ１１００のコンテンツ配信部１１０１へコンテンツＩＤを指定してビデオコンテンツ配送要求を出す。次にステップＳ２７０８において、コンテンツサーバ１１００のコンテンツ配信部１１０１がコンテンツデータベース１１０２から暗号化されたビデオコンテンツを読み出し、利用者端末１３００のコンテンツ取得部１３０２へ通信伝送路４０１を経由して、暗号化されたビデオコンテンツを配送する。次にステップＳ２７０９において、利用者端末１３００のコンテンツ取得部１３０２が利用者端末１３００の実行部１０４へ暗号化されたビデオコンテンツを送る。次にステップＳ２７１０において、利用者端末１３００の実行部１０４がステップＳ２７０４で取得したコンテンツ復号鍵を用いてビデオコンテンツを復号化する。次にステップＳ２７１１において、利用者端末１３００の実行部１０４がビデオコンテンツをストリーミング再生する。
【００９９】
また、本実施例ではコンテンツサーバ１１００とライセンスサーバ１２００とロケーションサーバ１４００と課金サーバ１５００をすべて別個のサーバとしたが、これらのすべてまたは一部は同一の電子機器で構成されていてもよい。また、コンテンツデータベース１１０２はコンテンツサーバ１１００の内部に存在してもよい。また、サービス情報データベース１２０２はライセンスサーバ１２００の内部に存在してもよい。また、ロケーションサーバ１４００は通信伝送路４０１内に存在し、利用者端末１３００で受信したＧＰＳ情報をロケーションサーバ１４００で位置検出計算し、その結果を利用者端末１３００へ送ってもよい。また、本実施例はライセンスの供与の前に課金処理を行う前課金方式であるが、ライセンスの供与の後に課金処理を行う後課金方式でもよい。
【０１００】
このような発明の実施の形態により、利用者端末１３００が自分自身の位置情報を取得することにより、利用者端末１３００の位置に応じたサービス、特にある特定の位置にいる利用者端末１３００でのみ特別なサービスを利用することが可能となる。
【０１０１】
さらに本実施例でのライセンスはコンテンツを実行可能とする、つまりコンテンツを再生可能とするためのライセンスである。コンテンツとライセンスに分けて配信することにより、ライセンス提供者とコンテンツ提供者を分けることが可能となる。また、状況情報に応じてコンテンツを再生することが可能となり、例えば、ライセンスは蓄積メディア等に入れた状態で販売し、その後に状況情報に応じてコンテンツを取得してコンテンツを再生することも可能である。ライセンスを電子チケットや電子バリューとして考え、本実施例におけるコンテンツの再生を電子チケットや電子バリューの利用と考えられることで、コンテンツの配信に限らず、様々なサービスに対応することが可能となる。
【０１０２】
さらに利用者端末１３００はビデオコンテンツを取得する前にライセンスを取得するが、利用者端末１３００がライセンスに含まれるビデオコンテンツ情報とイベント情報を読み出して、「これはＸＸＸというアーティストのビデオコンテンツのライセンスです。ビデオコンテンツを再生したい方は、以下のイベント会場へ行き、ＸＸＸというＵＲＬへアクセスして下さい。」というビデオコンテンツの取得のための情報を利用者に提示することにより、先にライセンスを配信しておくことにより、コンテンツを入手するための宣伝効果が発生することになる。
【０１０３】
本実施例のコンテンツは、特定のイベント会場内に利用者端末１３００が存在するという条件を満たす場合のみ取得および再生可能である。また本実施例のようにストリーム再生ではなく、ダウンロードによる再生かつデータサイズが大きければ、コンテンツのダウンロードによる取得に時間がかかる場合がある。それに対してライセンスは、例えばアーティストのホームページ等に掲載し、さらにライセンスのデータサイズが小さければライセンスの取得に時間はかからない場合が多い。このように先に配信するするライセンスを利用者にとって取得が容易であるものにし、さらにライセンスに関連するコンテンツの取得を推奨する推奨情報をライセンスに含めておくことにより、後に配信するコンテンツの入手するための宣伝効果を高めることになる。
【０１０４】
また状況情報として、例えば位置情報の現在の値のみでなく過去の状態を蓄積するによって位置検出誤差が減少することより、利用者端末がイベント会場内かどうかの判別がより正確になり、また、イベント会場にある回数以上入場した人にのみビデオコンテンツの配信を行うことも可能となる。
【０１０５】
また、ビデオコンテンツの取得のみでなく、利用者端末がイベント会場内にいることによって既に保持しているライセンスの更新や、逆にライセンスの取消を行うことも可能になる。
【０１０６】
（各実施の形態を発展させた形態）
電子機器１００の判断部１０２は、電子機器１００の保持している情報によってもサービスが実行可能であるかどうかを判断してもよい。例えば、電子機器１００に占有者の性別という情報を入力して保持させておき、電子機器１００は、周囲の店舗情報を提供するというサービスを実行する際に、占有者の性別により、店舗情報を提供するかどうかを判断することにより、情報を絞り込んでサービスすることが可能となる。また、電子機器１００の保持している情報は性別に限られることはなく、年齢、年収、あるいは、電子機器１００の液晶ディスプレイがカラー表示可能かどうか、電子機器１００が音声出力手段を有しているかどうかなどといった情報でもよい。
【０１０７】
電子機器１００の状況情報取得部１０１で取得する状況情報は回線切断情報である場合には、電子機器１００は、更に、切断情報送信部を備えていてもよい。回線切断情報とは、電子機器１００が通信を行っていて、回線が切断された時の状況を表す情報であり、例えば、インターネットによる通信を行い、ＦＴＰプロトコルによりファイルをダウンロードしている途中で回線が切断された時に、ファイルを既に何バイトダウンロードしたかという情報が一例として挙げられる。切断情報送信部とは、状況情報取得部１０１で取得された回線切断情報を回線切断された通信相手に送信することを行う。このような切断情報送信部を備えることにより、回線による通信が回復した場合に、切断時の状況へ復旧することが可能となる。ＦＴＰプロトコルによるファイルのダウンロードの場合には、回線が切断されたときまでにダウンロードされたファイルの残りの部分からのダウンロードが再開できるようになる。
【０１０８】
また、状況情報取得部１０１で取得する状況情報が電子機器１００の位置情報である場合には、接続する放送局を選択する放送局選択部を備えていてもよい。この放送局選択部を備えることにより、現在視聴している放送局のサービスエリアの外に移動した場合に、放送局選択部が位置情報で得られる場所に存在する同じ系列の放送局で選択するようにすることにより、同じ放送を受信状態が悪化することなく視聴することが可能となる。
【０１０９】
また、状況情報取得部１０１が状況情報として複数の端末の位置情報を取得し、サービス情報は、取得した複数の端末のうち近接する端末を通信で接続するための情報であってもよい。ここに、「取得した複数の端末」とは、状況情報取得部１０１で位置情報が取得された端末であり、「サービス情報」とは、サービス情報取得部１０３で取得されるサービス情報であり、この場合におけるサービス情報は、位置情報が取得された端末と通信で接続するための情報であり、例えば、端末のＩＰアドレスが例として挙げられる。このような状況情報とサービス情報を用いることにより、電子機器１００の近隣に存在する端末と通信を行うことができ、例えば、人が多数集まる場所での待ち合わせにおいて、待ち合わせの相手の持つ端末と通信を行うことにより、待ち合わせをスムーズに行うことができるようになる。
【０１１０】
このように状況情報を複数の手段により取得する場合には、電子機器１００は、状況情報が一致するものと認められるか判断する状況情報正確性判断部を備えることになり、判断部１０２においてサービスが実行可能かどうかを判断する前の段階として、複数の手段で得られた状況情報が一致するものと認められるかどうかを状況情報正確性判断部によって判断する。これにより、状況情報取得部１０１で得られる状況情報の正確性が高まることになる。
【０１１１】
また、電子機器１００は、通信伝送路切り替え部を有するようにしてもよい。この通信伝送路切り替え部は、状況情報取得部１０１で取得された状況情報に応じて、通信伝送路を切り替えることを行う。例えば、電子機器１００がＵＨＦ帯の無線通信路とＶＨＦ帯の無線通信路を有する場合、状況情報取得部１０１がこれらの通信路の通信状況を得て、通信伝送路切り替え部がその通信状況により判断を行い、通信状況の良い方の通信伝送路を使用するようにする。このような通信伝送路切り替え部を有することにより、最適な通信伝送路を使用することが可能となる。
【０１１２】
なお、以上において説明した状況情報の生成・入手についてであるが、電子機器１００が通信伝送路によって生成された状況情報をその通信伝送路から入手する場合と、通信伝送路以外から入手する場合とがある。図３１は電子機器１００が通信伝送路４０１に接続され、状況情報取得部１０１が通信伝送路によって生成された状況情報を通信伝送路４０１から状況情報を取得する様子を示している。図３１に示した状況情報管理部２８０１は、通信伝送路４０１に関する状況情報を生成し、電子機器１００へ送信する。この状況情報管理部２８０１によって生成・送信される状況情報としては、通信伝送路が提供する帯域、通信速度（規格値、実測値）や、通信が切断された場合の状況である切断情報、通信トラヒック、通信料金が例として挙げられる。また、電子機器１００が携帯電話装置である場合には、利用している基地局の情報や、ハンドオーバーの情報も状況情報管理部２８０１によって生成・送信される。更に、電子機器１００の通信相手の状況情報も状況情報管理部２８０１によって取得され、電子機器１００へ送信されてもよく、この場合には、相手の利用している基地局を状況情報の例としてあげることができる。状況情報管理部２８０１の具体例としては、電気通信事業者（キャリア）、放送事業者、インターネットサービスプロバイダ（ＩＳＰ）などが保有している設備ある。
【０１１３】
図３２は、電子機器１００が通信伝送路以外から状況情報を取得する場合を図示している。この場合には、状況情報取得部１０１の中に、状況情報そのものを、あるいは、状況情報を得るための情報を取得する情報計測手段２９０１と、情報計測手段２９０１で取得した情報から状況情報を抽出する情報処理手段２９０２とがある。情報計測手段２９０１が取得する状況情報を得るための情報としては、ＧＰＳの人工衛星から発信された電波から得られる情報が挙げられ、この情報を情報処理手段２９０２で処理することにより、電子機器１００の位置の情報が状況情報として利用できるようになる。また、情報計測手段２９０１が状況情報そのものを取得する場合には、情報処理手段２９０２は、取得された状況情報を状況情報取得部１０１などが処理に適した形式に変換することを行う。なお、図１４では、情報計測手段２９０１と情報処理手段２９０２が状況情報取得部１０１の内部にあるとしたが、状況情報取得部１０１の外部にあってもよい。特に、電子機器１００の外部であってもよい。例えば、情報処理手段２９０２を電子機器１００の外部に置くことにより、ＧＰＳの人工衛星から発信された電波から得られる情報の処理を電子機器１００の外部で行うことができるので、電子機器１００の小型化および軽量化を図ることができる。この場合における具体例としては、無線タグと携帯端末間の通信、Ｂｌｕｅｔｏｏｔｈによる携帯端末間の通信、トランシーバ通信、接触通信などがある。
【０１１４】
なお、図３１と図３２とは、互いに排斥しあう関係になく、状況情報取得部１０１は、通信伝送路４０１と情報処理手段２９０２との両方から同時に状況情報を取得することも可能であり、同種の状況情報であれば、それらを比較することにより、正確な状況情報を取得することができるようになる。
【産業上の利用可能性】
【０１１５】
電子機器へ送信された情報のうち、当該電子機器の状況に応じた情報を選別して表示し、利用者に、どのようにすればサービスの実行が可能になるかを知らしめ得るようにすることにより、それぞれの状況に応じてサービスを提供することのできる電子機器を提供する。これにより、携帯機器のような電子機器及びそれを用いたサービスにおいて、現在の位置に応じた適切な指示や特定の条件を満足する者に対する付加価値の付与など、様々な状況に応じて、その状況により適切なサービスを提供することが可能となる。
【符号の説明】
【０１１６】
１００  電子機器
１０１  状況情報取得部
１０２  判断部
１０３  サービス情報取得部
１０４  実行部
【図１】
0004741706.tif 000002
【図２】
0004741706.tif 000003
【図３】
0004741706.tif 000004
【図４】
0004741706.tif 000005
【図５】
0004741706.tif 000006
【図６】
0004741706.tif 000007
【図７】
0004741706.tif 000008
【図８】
0004741706.tif 000009
【図９】
0004741706.tif 000010
【図１０】
0004741706.tif 000011
【図１１】
0004741706.tif 000012
【図１２】
0004741706.tif 000013
【図１３】
0004741706.tif 000014
【図１４】
0004741706.tif 000015
【図１５】
0004741706.tif 000016
【図１６】
0004741706.tif 000017
【図１７】
0004741706.tif 000018
【図１８】
0004741706.tif 000019
【図１９】
0004741706.tif 000020
【図２０】
0004741706.tif 000021
【図２１】
0004741706.tif 000022
【図２２】
0004741706.tif 000023
【図２３】
0004741706.tif 000024
【図２４】
0004741706.tif 000025
【図２５】
0004741706.tif 000026
【図２６】
0004741706.tif 000027
【図２７】
0004741706.tif 000028
【図２８】
0004741706.tif 000029
【図２９】
0004741706.tif 000030
【図３０】
0004741706.tif 000031
【図３１】
0004741706.tif 000032
【図３２】
0004741706.tif 000033